(57)【要約】【課題】平板、側板とタオル地を少なくとも含み、平板は平らな辺を少なくとも有し、ケーキ形状に近似するようにするケーキ型タオル。【解決手段】側板は平板の平らの辺から延伸され、少なくとも２つの折り畳み部を有し、平板に応じて囲み込み、さらにタオル地により平板と側板を覆いケーキ形状に形成する。且つ、透明カバーと載置体を用い、このケーキ型タオルをその中に収納することでこのケーキ型タオルはよりケーキ形状に近似するようになる。【選択図】図３
0003133931.tif 000002
【実用新案登録請求の範囲】
【請求項１】
平らの辺を有する平板と、
前記平板の前記平らの辺から延伸され、少なくとも２つの折り畳み部を有し、前記平板に応じて囲み込む側板と、
前記平板と前記側板を覆いケーキ形状を形成するタオル地と、を含むことを特徴とする、
ケーキ型タオル。
【請求項２】
前記側板の前記折り畳み部の形状は台形と矩形とからなり、前記平板と前記側板とを組み合わせると前記平板が傾斜状となることを特徴とする、請求項１に記載のケーキ型タオル。
【請求項３】
前記側板の前記折り畳み部の形状は台形と前記平板に対応する形状とからなり、前記平板と前記側板とを組み合わせると前記平板が傾斜状となることを特徴とする、請求項１に記載のケーキ型タオル。
【請求項４】
前記側板の前記折り畳み部の形状は台形からなり、前記平板と前記側板とを組み合わせると前記平板が水平状となることを特徴とする請求項１に記載のケーキ型タオル。
【請求項５】
前記側板の前記折り畳み部の形状は台形と前記平板に対応する形状とからなり、前記平板と前記側板とを組み合わせると前記平板が水平状となることを特徴とする、請求項１に記載のケーキ型タオル。
【請求項６】
前記平板の形状はさらに弧を有することを特徴とする、請求項１に記載のケーキ型タオル。
【請求項７】
前記ケーキ型タオルはさらにカバーと載置体とに収納され、前記載置体は前記ケーキ型タオルを載置し前記カバーと接続することを特徴とする、請求項１に記載のケーキ型タオル。
【請求項８】
前記カバーが透明状であることを特徴とする、請求項７に記載のケーキ型タオル。
【請求項９】
前記カバーの表面は少なくとも一つのデザインまたは一つの文字を有することを特徴とする、請求項７に記載のケーキ型タオル。
【請求項１０】
前記デザインまたは文字は前記カバーに直接印刷され、モールド方法により前記カバーに形成する或いはシールにより前記カバーに貼り付けることを特徴とする、請求項９に記載のケーキ型タオル。
【請求項１１】
前記板の縁端が少なくとも一つの挿入板を有すると共に、前記側板は前記挿入板に対応する少なくとも一つの挿入目を有することで、前記平板と前記側板とを互いに固定させることを特徴とする、請求項１に記載のケーキ型タオル。
【請求項１２】
前記側板は前記側板の先端にあるピンを有し、前記側板の末端には前記ピンに対応する挿入目を有し、前記側板の前記先端と前記側板の末端とを互いに固定させることを特徴とする、請求項１に記載のケーキ型タオル。
【請求項１３】
前記タオル地によるケーキの外周を囲み込み、前記タオル地を前記平板と前記側板とにしっかりと貼り付けるための固定用のテープを有することを特徴とする、請求項１に記載のケーキ型タオル。
【考案の詳細な説明】
【技術分野】
【０００１】
本考案はケーキ型タオルを提供するもので、特に側板を囲み込む方式によりケーキ形状の支持体を構成し、ケーキ型タオルをさらに安定したものにするものである。
【背景技術】
【０００２】
図１に従来のケーキ型タオルの斜視図、図２に従来のケーキ型タオルの製作過程図を示す。
図１では、該ケーキ型タオルは少なくともケーキ体、タオル地、ケーキカップ、飾り物、透明な袋、リボン、ラベルを含み、図２において、該ケーキ型タオルが頂面部１０６と頂面部１０６の各辺から延伸された折り畳み部１０７からなる台紙１０３をさらに備えていることがわかる。
図２の製作過程図に示すように、工程（a）では、該ケーキ型のタオル地１０２が台紙１０３の頂面部１０６を覆い、工程（b）では、折り畳み部１０７の縁により、タオル地１０２を内側に折り畳み、折り畳み部１０７を頂面部１０６の形状に合わせて折り畳むことにより、工程（c）におけるケーキ体１０１が形成される。そして該ケーキ体１０１をケーキカップ１０４内に詰め込んだ後、図１に示すように、飾り物１０５をケーキ体１０１のタオル地１０２に配置し、透明袋１０８に入れ、リボン１０９を結びタグ１１０を貼り付けることにより、ケーキ型タオルとなる。
【０００３】
然しながら、前記のようなケーキ型タオルの折り畳み包み方式は、ケーキ体を形成しようとする際、詰め込まれたタオル地が折り畳み部を押し広げ、且つタオル地の被覆方式により折り畳み部を固定できない。これはケーキ体をケーキカップに入れる妨げになる。外包装においては、透明袋によりケーキ体を収容する際、力に耐えられず該ケーキ型タオルは壊れ易くなる。
【０００４】
上記の欠点を解決するために、タオル地に底面の支持体を覆うことができるようにし、くずれないようにする。並びにカバーと載置体を用いることにより、全体をその中に詰め込むことで、ケーキ型タオルを保護することができる。
本考案者は長年の研究及び数多くの実務経験から多方面にわたって設計研究、特定の分野を取り上げて検討することにより、本考案が提案するケーキ型タオルを前記期待していた実現方法と根拠とすることができた。
【考案の開示】
【考案が解決しようとする課題】
【０００５】
上記の課題に鑑みて、本考案の目的はケーキ型タオルを提供することで、特に側板と挿入板を囲み込む方式により、ケーキ型タオルの支持体を固定させ、且つカバーと載置体により前記ケーキ型を保護する。
【課題を解決するための手段】
【０００６】
そこで、上記の目的を達成するために、本考案のケーキ型タオルは平板と側板とタオル地を少なくとも含み、そのうち平板は平らな辺を少なくとも有し、側板は前記平板の前記平らの辺から延伸され、少なくとも２つの折り畳み部を有し前記平板に応じて囲み込む。タオル地により前記平板と前記側板を覆いケーキ形状を形成する。
【０００７】
上記のように、本考案のケーキ型タオルによると、平板が弧を少なくとも持つので本考案の平板は複数の平らな辺、或いは複数の弧、または一つの平らな辺及び一つの弧、一つの平らな辺と複数の弧、複数の平らな辺と一つの弧、複数の平らな辺と複数の弧等により形状が構成される。
前記平板の縁端が少なくとも一つの挿入板を有すると共に、前記側板は前記挿入板に対応する少なくとも一つの挿入目を有することで、前記平板と前記側板を互いに固定させる。或いは、前記側板の先端と末端がピンと前記ピンに対応する挿入目を有し、前記側板の前記先端と前記側板の末端を互いに固定させ、分離し難くさせる。且つ、側板の折り畳み部の形状は台形のみ、或いは台形と矩形、台形と多角形、矩形と多角形からなり、平板は傾斜状或いは水平状を呈する。
さらに固定用テープによりケーキ型タオルの外側を囲い込むことで、タオル地を平板と側板にしっかり固定することができ、それからデザイン化（図案化）された透明のカバーと載置体によりケーキ型タオルをその中に詰め込むことで、ケーキ型タオルの安定性と保護性を得ることができる。
【考案の効果】
【０００８】
本考案によればタオル地により前記平板と前記側板を覆いケーキ形状を形成するようになる。
【０００９】
本考案の技術特徴と得られた効果をさらに理解してもらうために、以下の最適な実施例と関連図を用いて詳細を説明する。
【考案を実施するための最良の形態】
【００１０】
本考案における上記目的、特徴、メリットをさらに分かり易くするために、以下に本考案であるケーキ型タオルによる最適な実施例とそれに関連する図を挙げて詳細な説明を行なう。
同じ部品は同じ部品番号により説明を行なう。
【００１１】
図３に本考案のケーキ型タオルの製作概略図を示す。
図３において、前記ケーキ型タオルは少なくとも支持体３１とタオル地３２とを含み、支持体３１は多角形状の平板３１１と側板３１２から形成され、側板３１２は前記多角形状の平板３１１の辺から延伸され、少なくとも２つの折り畳み部を有し、折り畳み部の折り線３１２３により対応する多角形状の平板３１１を取り囲み、側板３１２の折り畳み部の形状は台形折り畳み部３１２１と矩形折り畳み部３１２２からなり、多角形状の平板３１１と側板３１２が組み合わせられると、多角形状の平板３１１は傾斜状を呈する。
また、多角形状の平板３１１の縁端が少なくとも一つの挿入板３１２４を有すると共に、前記側板３１２は前記挿入板３１２４に対応する挿入目３１２５を有する。
且つ前記側板３１２の先端３１２６がピン３１２７を有し、前記側板３１２の末端３１２８は前記ピン３１２７に対応する挿入目３１２９を有し、前記多角形状の平板３１１と前記側板３１２を互いに固定させることで、多角形状の平板３１１を囲み込む側板３１２の間も相互に固定できる。よって、支持体３１はしっかりと固定する効果を持つことができる。
【００１２】
引き続き図４に本考案のケーキ型タオルの分解概略図を示す。
本図から分かるように、タオル地３２が支持体３１を覆い、外側は固定用のテープ３３を用いてタオル地３２を囲い込むことにより、タオル地３２をしっかりと支持体３１に固定させることができる。
また前記ケーキ型タオルを載置体３４に配置すると共に、透明カバー３５により載置体３４と組み合わせることで、ケーキ型タオルをその中に収容することができる。
透明カバー３５は直接印刷されており、モールド方法により形成されているか或いはシールにより貼り付けられたデザインや文字３６である。
【００１３】
図５に本考案のケーキ型タオルの別の実施例における製作概略図を示す。
本図において、前記ケーキ型タオルはタオル地５２と支持体５１より構成され、そのうち支持体５１は多角形状の平板５１１と側板５１２から形成され、側板５１２は多角形状の平板５１１の一辺が延伸したもので、且つ側板５１２の形状は台形折り畳み部５１２１及び多角形折り畳み部５１２２を含む。
多角形状の平板５１１と多角形折り畳み部５１２２は互いに対応した形状を呈し、台形折り畳み部５１２１と多角形折り畳み部５１２２の組み合わせにより、多角形状の平板５１１は傾斜状となり、多角形状の平板５１１の縁端が有する挿入板５１２３及び側板５１２上の挿入板５１２３に対応する挿入目５１２４とが相互に固定されることにより支持体５１をさらに安定でき、タオル地５２で支持体５１を覆うことでケーキ型タオルを形成する。
【００１４】
図６に本考案のケーキ型タオルの別の実施例における製作概略図を示す。
本図において、前記ケーキ型タオルは支持体６１とタオル地６２より構成され、支持体６１は多角形状の平板６１１と側板６１２から形成され、側板６１２の各折り畳み部６１２１の形状は矩形で、且つ少なくとも２つの折り線６１２２を有することで、側板６１２は多角形状の平板６１１を囲い込むことができる。
且つ多角形状の平板６１１の縁端はさらに挿入板６１２３を少なくとも有し、側板６１２上の挿入板６１２３に対応する挿入目６１２４と挿入板６１２３が相互に固定される。
そのうち側板６１２がさらに前記側板６１２の先端６１２５にあるピン６１２６を有し、前記側板６１２の末端６１２７にある前記ピン６１２６に対応する挿入目６１２８は前記ピン６１２６と固定され、これらの挿入板６１２３とピン６１２６及び接続される挿入目６１２４と挿入目６１２８により、前記多角形状の平板６１１と前記側板６１２により形成される支持体６１を固定させることができ、タオル地６２で支持体６１を覆うことでケーキ型タオルを形成する。
【００１５】
図７に本考案のケーキ型タオルの別の実施例における製作概略図を示す。
本図において、前記ケーキ型タオルは支持体７１とタオル地７２より構成され、支持体７１は多角形状の平板711と側板７１２からなり、側板７１２は多角形状の平板７１１の一辺から延伸されると共に、少なくとも２つの折り畳み部を有し、前記折り畳み部は矩形折り畳み部７１２１と多角形折り畳み部７１２２で、そのうち多角形状の平板７１１と多角形折り畳み部７１２２の形状は相対しており、多角形状の平板７１１と多角形折り畳み部７１２２及び矩形折り畳み部７１２１の組み合わせにより支持体７１を形成させる。
さらに多角形状の平板７１１の縁端にある挿入板７１２３と側板７１２上の挿入板７１２３に対応する挿入目７１２４が相互に固定され、支持体７１をさらに安定させることができ、タオル地７２で支持体７１を覆うことでケーキ型タオルを形成する。
【００１６】
図８に本考案のケーキ型タオルの別の実施例における製作概略図を示す。
本図において、前記ケーキ型タオルは支持体８１とタオル地８２より構成され、前記支持体８１は弧を有する平板８１１と側板８１２からなり、そのうち側板８１２の各折り畳み部８１２１、８１２２の形状は矩形であると共に、折り線８１２９を少なくとも含むことで、側板８１２は弧を有する平板８１１を囲い込み、且つ弧を有する平板８１１の弧の縁端がさらに挿入板８１２３を少なくとも有し、側板８１２上の挿入板８１２３に対応する挿入目８１２４が挿入板８１２３と相互に固定される。
側板８１２がさらに前記側板８１２の先端８１２６にあるピン８１２６を有し、前記側板８１２の末端８１２７にある前記ピン８１２６に対応する挿入目８１２８は前記ピン８１２６と固定され、これらの挿入板８１２３とピン８１２６及び接続される挿入目８１２４と挿入目８１２８により、前記弧を有する平板８１１と前記側板８１２により形成される支持体８１を固定させることができ、タオル地８２で支持体８１を覆うことでケーキ型タオルを形成する。
【００１７】
本考案では最適な実施例の説明を上記に示したが、本考案の主張する特許範囲はこれに限られるものではない。その保護範囲は前記に示す請求の範囲と同等の領域で定められる。この領域を熟知している技術者が、本特許の主旨と範囲内から外れることなく、手を加え、本考案が示している主旨の下で変更或いは設計されているものも、上記の請求の範囲内に含まれる。
【図面の簡単な説明】
【００１８】
【図１】従来のケーキ型タオルの斜視図。
【図２】従来のケーキ型タオルの製作過程を示す図。
【図３】本考案のケーキ型タオルの製作概略図。
【図４】本考案のケーキ型タオルの分解概略図。
【図５】本考案のケーキ型タオルの別の実施例における製作概略図。
【図６】本考案のケーキ型タオルの別の実施例における製作概略図。
【図７】本考案のケーキ型タオルの別の実施例における製作概略図。
【図８】本考案のケーキ型タオルの別の実施例における製作概略図。
【符号の説明】
【００１９】
１０１  ケーキ体
１０２  タオル地
１０３  台紙
１０４  ケーキカップ
１０６  飾り物
１０６  頂面部
１０７  折り畳み部
１０８  透明袋
１０９  リボン
１１０  タグ
３１    支持体
３１１  多角形状の平板
３１２  側板
３１２１  台形折り畳み部
３１２２  矩形折り畳み部
３１２３  折り線
３１２４  挿入板
３１２６  挿入目
３１２６  先端
３１２７  ピン
３１２８  末端
３１２９  挿入目
３２  タオル地
３３  固定用のテープ
３４  載置体
３６  透明カバー
３６  デザイン
６１  支持体
６１１  多角形状の平板
６１２  側板
６１２１  台形折り畳み部
６１２２  多角形折り畳み部
６１２３  挿入板
６１２４  挿入目
６２  タオル地
６１  支持体
６１１  多角形状の平板
６１２  側板
６１２１  折り畳み部
６１２２  折り線
６１２３  挿入板
６１２４  挿入目
６１２５  先端
６１２６  ピン
６１２７  末端
６１２８  挿入目
６２  タオル地
７１  支持体
７１１  多角形状の平板
７１２  側板
７１２１  矩形折り畳み部
７１２２  多角形折り畳み部
７１２３  挿入板
７１２４  挿入目
７２  タオル地
８１  支持体
８１１  弧を有する平板
８１２  側板
８１２１  矩形折り畳み部
８１２２  矩形折り畳み部
８１２３  挿入板
８１２４  挿入目
８１２６  先端
８１２６  ピン
８１２７  末端
８１２８  挿入目
８１２９  折り線
８２  タオル地
【図１】
0003133931.tif 000003
【図２】
0003133931.tif 000004
【図３】
0003133931.tif 000005
【図４】
0003133931.tif 000006
【図５】
0003133931.tif 000007
【図６】
0003133931.tif 000008
【図７】
0003133931.tif 000009
【図８】
0003133931.tif 000010